(57)【要約】【課題】  インクを複数の吐出口から吐出可能な記録ヘッドを用いて、記録媒体上の同じ記録領域に、上記記録ヘッドを複数回操作させることによって画像を記録し、かつ記録動作を一時停止する機能を持つインクジェット記録装置において、印字中断による画像欠陥を抑制し、かつ、ノズル状態の不良も考慮した、高品位な画像を印字できるインクジェット記録装置を提供することを目的とする。【解決手段】  印字中断時における中断処理の導入の有無を、選択することができるインクジェット記録装置であり、また、メディアの種類や印字モードに応じて、後端処理の有無を設定することができるインクジェット記録装置である。【選択図】  図１
2006159612.tif 000002
【特許請求の範囲】
【請求項１】
インクを複数の吐出口から吐出可能な記録ヘッドを用いて、記録媒体上の同じ記録領域に、上記記録ヘッドを複数回操作させることによって画像を記録し、かつ記録動作を一時停止する機能を持つインクジェット記録装置において、
上記一時停止の際に、記録動作を一時停止する前に、画像の記録が未完了な記録領域の画像を完成させる手段と、
上記未完了な記録領域の画像を完成させることを選択する手段と、
を有することを特徴とするインクジェット記録装置。
【請求項２】
請求項１において、
上記未完了な記録領域を完成させる手段は、
記録操作毎に間引き画像を形成するための第１のマスクパターンと、
上記第１のマスクパターンと掛け合わせる第２のマスクパターンと、
上記未完了な記録領域の画像を完成させるように上記第２のマスクパターンを選択するパターンセレクタと、
を有することを特徴とするインクジェット記録装置。
【請求項３】
請求項１または請求項２において、
上記未完了な記録領域を完成させる手段は、
上記記録媒体の種類、インク種、または記録媒体とインクとの組み合わせに応じて、上記記録領域の完成の有無を選択可能である手段であることを特徴とするインクジェット記録装置。
【請求項４】
請求項２において、
上記パターンセレクタは、上記画像記録が未完了の記録領域を記録する際に、上記記録媒体を搬送せずに、記録動作を実行できるような上記第２のマスクパターンを選択する手段であることを特徴とするインクジェット記録装置。
【請求項５】
請求項４において、
上記一時停止後の再開時には、上記記録媒体の搬送量を、通常記録領域の搬送量と比較して、減算することを特徴とするインクジェット記録装置。
【発明の詳細な説明】
【技術分野】
【０００１】
本発明は、インクジェット記録装置に関する。
【背景技術】
【０００２】
プリンタ、複写機、ファクシミリ等における記録装置として、またはコンピュータやワードプロセッサ等を含む複合型電子機器やワークステーション等で処理した情報を出力する機器として、記録装置が用いられ、これら記録装置として、種々の記録媒体に比較的簡潔な構成で記録することができるインクジェット方式の記録装置が普及している。
【０００３】
このインクジェット記録装置では、記録媒体の搬送方向（副走査方向）と交差する方向（主走査方向）に記録ヘッドを走査させながら画像を記録するいわゆるシリアル方式が主流である。このシリアル方式の記録装置は、簡潔な構成で、比較的再現性、一様性に優れた画像等を記録することができる等の利点を有している。特に、電気熱変換素子が発生する熱エネルギーを利用してインクに気泡を生じさせ、この気泡の圧力によってインクを吐出するいわゆるバブルジェット（登録商標）方式は、比較的高密度に吐出口を配列することができ、また、記録動作に伴って発生する騒音が小さい等、種々の利点を有し、近年広く用いられている方式である。
【０００４】
ところで、インクジェット記録装置では、たとえばコンピュータで処理した情報を出力する場合、コンピュータの処理能力によって、インクジェット記録装置への入力情報の遅延が発生し、インクジェット記録装置が一時停止する場合がある。
【０００５】
また、ユーザの都合による一時停止が可能なように、一時停止機能が設けられているインクジェット記録装置も多い。
【０００６】
さらに、インクジェット記録装置では、その記録ヘッドの吐出状態を良好に保つための回復処理をするために、一時停止を行う場合がある。
【０００７】
回復動作として、予備吐、ワイピング、吸引回復等があり、各種回復処理を実行する場合、画像形成（記録）前、画像形成終了後、または画像形成の途中で次の走査が始まる迄の間に、回復動作を行う。これによって、記録ヘッドのインク吐出状態を常に適切に保ち、画像品位の低下を防ぎ、良好な品位で記録することができる。特に、バナー印字等のように、連続して比較的大きな面積を記録する場合、その記録の途中における各走査の間に、回復動作を行うことが重要である。
【０００８】
また、現在、多くのプリンタは、マルチパス印字を採用し、印字領域を段階的に形成し、画像を完成させている。
【０００９】
図１３は、マルチパス印字として、主走査方向に２回スキャンすることによって、画像を記録する方法である。従来の２パス印字を行った場合におけるヘッド位置と記録画像とを示す模式図である。
【００１０】
キャリッジが記録媒体上を往復しながらインクを吐出することによって、画像を記録し、１回のスキャン動作毎に、記録ヘッドの幅の１／２に相当する幅（以降、「１／２バンド幅」という）ずつ、記録媒体を搬送する。１回のスキャン動作では、１バンド幅の画像データのうちで、近接画素について間引かれた画像データを記録する。以降、１回目のスキャン動作を、「１／２パス目」といい、この動作によって印字された領域を、「１／２パス印字領域」という。
【００１１】
そして、２回のスキャンによって、１バンド幅の画像記録を完了させる。以降、２回目のスキャン動作を「２／２パス目」とし、１／２パス目と２／２パス目とによって印字された領域を、「２／２パス印字領域」という。
【００１２】
図１４は、従来例において、印字中断時における状態と、印字再開時における状態とを示す図である。
【００１３】
ところで、上記回復動作が行われる際に、印字が一時停止の状態になる。このときに、マルチパス印字方法では、図１４（１）に示すように、印字が完了していない領域が存在している状態で、印字が中断される。この状態で、印字が再開されると、図１４（２）に示すように、マルチパスの未完成な部分で、色味の変化（以下、「放置ムラ」という）が発生する。この放置ムラは、画像欠陥となり、重大な問題となる場合がある。また、回復動作時に限定されず、印字の一時停止を行うと、上記放置ムラが発生する。
【００１４】
図１５は、従来の２パス記録方式における１回目と２回目とのスキャン動作（１／２パス目と２／２パス目）との間の時間が短いときに、記録媒体１０２に対するインクの浸透と定着の様子とを模式的に示す図である。
【００１５】
図１５（１）に示すように、１／２パス目に吐出されたインク滴１０１ａは、図１５（２）に示すように、記録媒体１０２の表面に垂直な方向と表面に広がる方向とへ浸透し、インク成分である染料等の色素が、物理的、化学的に、記録媒体１０２と結合する。
【００１６】
図１５（３）に示すように、２／２パス目に吐出されたインク滴１０１ｂも、記録媒体１０２の表面に、垂直な方向と表面に広がる方向とに浸透するものの、図１５（４）に示すように、先に着弾したインク滴１０１ａが定着した領域にはあまり浸透・定着しない。この原因は、先に着弾したインク滴１０１ａが、浸透しつつある状態にあることが考えられる。このために、後から着弾したインク滴１０１ｂは、図１５（４）に示すように、先に着弾したインク滴１０１ａが浸透した領域のさらに下の方へ、浸透・定着することになる。
【００１７】
図１６は、従来の２パス記録方式における１／２パス目と２／２パス目との間の時間が長いときに、記録媒体１０２に対するインクの浸透と定着の様子とを模式的に示す図である。
【００１８】
図１６（１）に示すように、１／２パス目に吐出されたインク滴１０１ａは、図１６（２）に示すように、記録媒体１０２の表面に、垂直な方向と表面に広がる方向とへ浸透し、インク成分である染料等の色素が、物理的、化学的に、記録媒体１０２と結合する。
【００１９】
図１６（３）に示すように、２／２パス目に吐出されて後から着弾したインク滴１０１ｂは、先に着弾した１０１ａが浸透・定着している領域に比較的多く浸透する。これは、先に着弾したインク滴１０１ａが十分浸透して広がり、またはその揮発成分が蒸発したので、記録媒体１０２での単位体積当たりのインク滴１０１ａの量が減少し、後から着弾したインク滴１０１ｂが浸透できるようになったためであると考えられる。
【００２０】
このように、１／２パス目と２／２パス目との時間間隔の変化によって、記録媒体の表面付近に定着するインクの量、つまり染料等の色素の量が異なる。また、記録濃度は、記録媒体の表面付近に定着する色素の光の吸収に対応するので、１／２パス目と２／２パス目との時間間隔の変化によって、記録濃度が異なる。
【００２１】
したがって、マルチパス記録方式によって画像を記録する場合、一時停止によって記録が中断されると、その中断の前後の記録画像に放置ムラが生じる。また、放置ムラの発生メカニズムから明らかなように、記録動作の一時停止の時間が長ければ長い程、放置ムラの発生が顕著となり大きな問題となる。
【００２２】
そこで、印字の中断時には、マルチパスを完成させた状態（以下、「中断処理」）で、一時停止を実行する方法が提案されている（たとえば、特許文献１参照）。
【００２３】
中断の要求があると、紙送りを行わず、未完成のパスを完成させるように、マスクを選択し、印字領域を一時的に完成させた状態で、一時停止を行うことによって、放置ムラの発生をなくすことができる。
【特許文献１】特開２０００−１５８６８号公報
【発明の開示】
【発明が解決しようとする課題】
【００２４】
しかし、特許文献１記載の発明では、マルチパスを完成させる際におけるヘッドの使用ノズルは、同一のものを使用するので、吐出状態の悪いノズルである場合、印字ヨレが発生し、黒スジ状のムラが発生する場合があるという問題がある。
【００２５】
また、特許文献１記載の発明では、不吐状態のノズルである場合、印字がされない白スジ状の領域が発生し、放置ムラよりも目立った画像欠陥になるという問題がある。
【００２６】
また、中断時の色味変化は、印字するメディアの種類やインクの種類による依存が大きいので、インクとメディアとの組み合わせによっては、ムラが発生しない場合がある。このような場合でも、後端処理によってスジムラが発生すると、逆に画像欠陥になるので、むしろ後端処理を行わない方がよいという問題がある。
【００２７】
本発明は、インクを複数の吐出口から吐出可能な記録ヘッドを用いて、記録媒体上の同じ記録領域に、上記記録ヘッドを複数回操作させることによって画像を記録し、かつ記録動作を一時停止する機能を持つインクジェット記録装置において、印字中断による画像欠陥を抑制し、かつ、ノズル状態の不良も考慮した、高品位な画像を印字できるインクジェット記録装置を提供することを目的とする。
【課題を解決するための手段】
【００２８】
本発明は、記録動作を一時停止して印字中断する時に、未完了の画像を完成させる中断処理の導入の有無を、選択することができるインクジェット記録装置であり、また、メディアの種類や印字モードに応じて、後端処理の有無を設定することができるインクジェット記録装置である。
【発明の効果】
【００２９】
本発明によれば、印字中断による画像欠陥を抑制し、かつ、ノズル状態の不良も考慮した、高品位な画像を提供することができるという効果を奏する。
【発明を実施するための最良の形態】
【００３０】
発明を実施するための最良の形態は、次の実施例である。
【実施例１】
【００３１】
図１は、本発明の実施例１であるインクジェット記録装置ＰＲ１を示す平面図である。
【００３２】
インクジェット記録装置ＰＲ１は、キャリッジ１と、記録ヘッド５と、ガイド軸１１と、エンコーダフィルム１２と、ベルト１３と、回復機構３０Ａ、３０Ｂ、３０Ｃ、３０Ｄと、予備吐出インク受領箱３１と、ワイピング機構３２とを有する。
【００３３】
記録装置本体２は、紙搬送系ユニットを含む記録装置本体である。
【００３４】
キャリッジ１は、複数個の記録ヘッド５を搭載し、矢印Ｘ（Ｘ１、Ｘ２）の主走査方向に移動することによって、記録ヘッド５の記録用紙（記録媒体）に対する記録走査が可能になる。すなわち、キャリッジ１は、ガイド軸１１によって、これに沿って主走査方向に移動可能に案内支持され、また、ベルト１３を介して伝達される駆動力によって、主走査方向に往復移動される。
【００３５】
なお、記録ヘッド５から吐出する使用インクは、シアン、マゼンタ、イエロー、ブラックの他に、さらに粒状感の低減を目的とした淡シアン、淡マゼンタを加えた計６色が採用されている。
【００３６】
回復機構３０Ａ、３０Ｂ、３０Ｃ、３０Ｄは、記録ヘッド５のインクの吐出状態を良好に保つための回復処理として吸引回復処理を行ない、また、記録ヘッド５の不使用時に記録ヘッド５を保護する。すなわち、これらの回復機構３０Ａ、３０Ｂ、３０Ｃ、３０Ｄは、インクの吐出口が形成された記録ヘッド５の吐出口面に当接可能なキャップを備え、そのキャップを、記録ヘッド５の吐出口面に当接させてから、そのキャップ内に、不図示のポンプからの負圧を導入することによって、画像の記録に寄与しないインクを、記録ヘッド５の吐出口からキャップ内に強制的に吸引排出させる。また、キャップは、記録ヘッド５の不使用時に吐出口面に当接することによって、記録ヘッド５の吐出口を保護する。
【００３７】
予備吐出インク受領箱３１は、各記録ヘッド５の予備吐出動作によって吐出されるインクを受容する。予備吐出は、記録ヘッド５に対する回復処理の他の１つであり、画像の記録に寄与しないインクを、吐出口から予備吐出インク受領箱３１に向かって吐出させる。
【００３８】
ワイピング機構３２は、各記録ヘッド５の吐出口面のワイピング動作を行なうための機構である。ワイピングは、記録ヘッド５に対する回復処理のさらに他の１つであり、ゴム等の弾性材からなるブレードを、記録ヘッド５の吐出口面に当接させ、それらのブレードと記録ヘッド５とを相対移動（本例の場合は、記録ヘッド５を移動）させることによって、吐出口の周辺に付着したインク等を拭き取って除去する。
【００３９】
記録装置ＰＲ１は、ホスト装置から記録データを受け取ると、図示しない紙搬送ユニットによって送られる記録用紙に画像を記録すべく、ガイド軸１１に沿って、キャリッジ１を主走査方向（Ｘ１またはＸ２方向）に移動させつつ、記録ヘッド５からインクを吐出させることによって、記録用紙に１バンド分の画像を記録する。そして、紙搬送ユニットによって、キャリッジ１と交差（本例の場合は、直交）する副走査方向に、記録用紙を搬送する。
【００４０】
キャリッジ１の移動位置を検出するために、キャリッジ１の移動経路に沿って、エンコーダフィルム１２が配設される。すなわち、キャリッジ１に搭載されたエンコーダセンサが、エンコーダフィルム１２を検出し、この検出信号に基づいて、キャリッジ１の移動位置を検出することができる。また、このエンコーダセンサの検出信号に基づいて、キャリッジ１を、所定のホームポジション（本例では、回復機構３０Ａ、３０Ｂ、３０Ｃおよび３０Ｄと対応する位置）に移動制御する。
【００４１】
各記録ヘッド５には、たとえば、副走査方向に並ぶように、２５６個の吐出口が６００ｄｐｉ（ドット／インチ）の密度で配列され、各吐出口からインクを吐出することができる。吐出口からのインクの吐出方式は、任意であり、たとえば、ピエゾ素子を用いて吐出する方式、または電気熱変換体（ヒータ）の発熱を利用して吐出する方式等であってもよい。
【００４２】
記録ヘッド５は、電気熱変換体の発熱を利用してインクを吐出する構成である。すなわち、各吐出口に連通する各インク液路内に電気熱変換体を備え、その電気熱変換体から発生する熱エネルギーによって、インク液路内のインクを局所的に加熱し、膜沸騰を起こさせ、そのときの圧力によって、インク液路と対応する吐出口から、インクを吐出する。また、各記録ヘッド５には、電気熱変換体が設けられている基板と同一の基板上に、各記録ヘッド５の温度検知用の温度センサ２１１（図２参照）が設けられている。
【００４３】
図２は、インクジェット記録装置ＰＲ１における制御系Ｃ１の構成を示すブロック図である。
【００４４】
インクジェット記録装置ＰＲ１における制御系Ｃ１は、コントローラ２００と、環境温度センサ２０４と、ホスト装置２０５と、インタフェース（Ｉ／Ｆ）２０６と、バンドメモリ２０７と、マスクパターンセレクタ２０８と、マルチパスデータ処理部２０９と、ヘッドドライバ２１０と、温度センサ２１１と、主走査モータ２１２と、モータドライバ２１３と、副走査モータ２１４と、モータドライバ２１５とを有する。
【００４５】
コントローラ２００は、インクジェット記録装置ＰＲ１の主制御部をなすコントローラであり、図４等に示すシーケンスを実行するマイクロコンピュータ形態等のＣＰＵ２０１と、そのシーケンスの実行手順に対応したプログラムやテーブル、ヒートパルスの電圧値、パルス幅、その他の固定データを格納するＲＯＭ２０２と、記録データを展開する領域や作業用の領域等が設けられているＲＡＭ２０３とを有する。
【００４６】
環境温度センサ２０４は、記録装置の環境温度を検出し、コントローラ２００に入力する。
【００４７】
ホスト装置２０５は、記録データの供給源をなすホスト装置であり、ホスト装置２０５からの記録データ、その他コマンド、ステータス信号等は、インタフェース（Ｉ／Ｆ）２０６を介して、コントローラ２００とバンドメモリ２０７との間において送受信される。
【００４８】
マスクパターンセレクタ２０８は、ＣＰＵ２０１に接続されて制御され、その出力は、マルチパスデータ処理部２０９に入力される。
【００４９】
バンドメモリ２０７は、記録のための画像データがインタフェース２０６から転送され、ＣＰＵ２０１の制御によって、所定の幅に分割された記録領域の記録に必要な画像データが、１バンド分の画像データとしてストアされる。バンドメモリ２０７の出力は、マルチパスデータ処理部２０９に入力される。
【００５０】
マルチパスデータ処理部２０９は、ＣＰＵ２０１の制御によって、分割された記録領域の記録を、複数回のスキャンで完了させるように、画像データの間引き処理を実行し、１スキャン分の画像データを生成し、ヘッドドライバ２１０に出力する。
【００５１】
ヘッドドライバ２１０は、記録や予備吐出の際に、記録データ等に応じて、記録ヘッド５の電気熱変換体（インク吐出用のヒータ）を駆動する。
【００５２】
記録ヘッド５は、ヘッドドライバ２１０によって制御され、キャリッジ動作と同期しながら、記録ヘッド５の吐出口からインクを吐出させることによって、１スキャン分の記録を実行する。また、各記録ヘッド５には、温度センサ２１１が備えられ、各温度センサ２１１が検出した各記録ヘッド５の温度の検出値が、コントローラ２００に入力されることによって、図６のヘッド温度の制御を行なう。
【００５３】
主走査モータ２１２は、キャリッジ１を主走査方向に移動させるための駆動源である。モータドライバ２１３は、主走査モータ２１２のドライバである。
【００５４】
副走査モータ２１４は、記録用紙を復走査方向に搬送するための駆動源となる副走査モータである。モータドライバ２１５は、副走査モータ２１３のドライバである。
【００５５】
次に、インクジェット記録装置ＰＲ１によって、所定幅ずつの記録領域に対して２回の走査によって画像を記録（２パス記録）する動作について説明する。
【００５６】
図３は、実施例１において、２パス記録動作を一時停止させてから再開させる場合に、記録ヘッド５の位置と記録領域との関係を示す模式図である。
【００５７】
図３に示す模式図においては、記録用紙の位置を固定し、その記録用紙に対して記録ヘッド５が矢印Ｙの副走査方向と反対の方向に移動するものとして表現している。
【００５８】
図４は、ＣＰＵ２０１の制御動作を示すフローチャートである。
【００５９】
まず、インタフェース２０６を経由して、記録要求コマンドがＣＰＵ２０１に入力されると、ＣＰＵ２０１は、１バンド分の画像データを、バンドメモリ２０７に書き込む（Ｓ４０１）。
【００６０】
次に、マルチパスデータ処理部２０９は、バンドメモリ２０７から１バンド分の全ての画像データを読み出し（Ｓ４０２）、ＣＰＵ２０１は、記録動作の中断要求（一時停止の要求）の有無を判定する（Ｓ４０３）。この中断要求がなければ、マルチパスデータ処理部２０９において、２パス記録をするための間引き処理を行なう（Ｓ４０４）。この間引き処理は、バンドメモリ２０７から読み出した画像データを、所定のマスクパターンでマスクすることによって実現される。
【００６１】
図５は、実施例１の説明図である。
【００６２】
実施例１では、２パス記録の１回目のスキャンで記録する画像データを間引くためのマスクパターンとして、図５（１）に示す千鳥パターンを用い、２回目のスキャンで記録する画像データを間引くためのマスクパターンとして、図５（２）に示す逆千鳥パターンを用いる。
【００６３】
以下では、１回目のスキャンのときに記録ヘッド５がＸ１方向に往走査し、２回目のスキャンのときに記録ヘッド５がＸ２方向に復走査するとして説明する。また、説明の簡略化のために、記録ヘッド５は、８個のインク吐出口が１列に配列されているものとする。
【００６４】
次に、間引かれた画像データをヘッドドライバ２１０に出力し、キャリッジ１を主走査方向にスキャンさせながら、間引かれた画像データに基づいて、記録ヘッド５からインクを吐出させ、記録用紙上に画像を記録する（Ｓ４０５）。
【００６５】
たとえば、Ｓ４０４では、千鳥パターンによって画像データを間引き、Ｓ４０５では、図３に示す段階Ａのように、記録ヘッド５がＸ１方向に往走査しつつ、千鳥パターンを用いて間引かれた記録データに基づいて、１スキャン分の全領域に間引き画像を記録する。そして、記録ヘッド５からのインクを吐出するとともに、各記録ヘッド５の温度を、温度センサ２１１が検出し、モニタする（Ｓ４０６）。すなわち、計１２個の記録ヘッド５のそれぞれの温度Ｔ１〜Ｔ１２を検出し、コントローラ２００のＲＡＭ２０３に格納する。
【００６６】
そして、１スキャン分の間引き画像の記録が終了すると、記録用紙を、１／２バンド幅分だけ矢印Ｙの復走査方向に搬送する（Ｓ４０７）。このＳ４０７における記録ヘッド５の位置は、図３に示す段階Ａよりも、１／２バンド幅分だけずれた段階Ｂになる。
【００６７】
記録用紙１枚分の記録が全て完了していなければ、Ｓ４０１に戻り、インタフェース２０６から、次の画像データの転送要求を出力し、外部ホスト装置等から新たに転送されてくる画像データを、ＣＰＵ２０１の制御によって、バンドメモリ２０７に書き込む。
【００６８】
以下の動作は、上記の場合と同様に、Ｓ４０２〜Ｓ４０７の処理を実行する。この場合、Ｓ４０４では、逆千鳥パターンによって、画像データが間引かれ、また、Ｓ４０５では、図３に示す段階Ｂのように、記録ヘッド５がＸ２方向に復走査しつつ、逆千鳥パターンを用いて間引かれた記録データに基づいて、１スキャン分の全領域に、間引き画像を記録する。
【００６９】
以下、Ｓ４０１〜Ｓ４０８の動作を繰り返すことによって、千鳥パターンを用いて間引かれた記録データに基づく往走査記録と、逆千鳥パターンを用いて間引かれた記録データに基づく復走査記録とを交互に繰り返し、記録用紙上の全ての記録領域に画像を記録する。そして、記録用紙上の全ての記録領域についての画像を記録したときに、２パス記録動作が完了する。
【００７０】
次に、実施例１において、記録動作を一時停止する動作について説明する。
【００７１】
Ｓ４０１では、ＣＰＵ２０１が記録動作を中断（一時停止）する必要有りと、判断した場合、先ず、記録動作の中断要求フラグをセットする。ＣＰＵ２０１は、たとえば、記録ヘッド５の回復処理が必要であると判断すると、記録動作の中断要求フラグをセットする。
【００７２】
次に、回復処理の１つとしての吸引回復動作を行なうために、記録動作を中断する場合の中断処理（Ｓ４０９）について説明する。また、以下においては、図３に示す段階Ａにおいて、記録ヘッド５が往走査記録を行っているときに、中断要求があった場合について説明する。
【００７３】
図６は、実施例１における中断処理（Ｓ４０９）の動作を示すフローチャートである。
【００７４】
中断要求の発生によって、中断要求フラグがセットされると、マルチパスデータ処理部２０９は、２パス記録を行なうための画像データの間引き処理を行なう（Ｓ５０１）。
【００７５】
次に、間引かれた画像データを、ヘッドドライバ２１０に出力し、キャリッジ１を主走査方向に移動させながら、間引かれた画像データに基づいて、記録ヘッド５からインクを吐出させ、これによって、記録用紙上に間引き画像を記録する（Ｓ５０２）。ここまでの処理は、中断要求が無い場合の通常の処理と同じである。
【００７６】
実施例１のように、図３に示す段階Ａにおいて、記録ヘッド５が往走査記録を行っているときに、中断要求があった場合、Ｓ５０１では、図５（２）に示す逆千鳥パターンを用いて、画像データを間引き、Ｓ５０２では、その間引かれた画像データに基づいて、記録ヘッド５が、図３に示す段階Ｂのように、通常の復走査記録を行なう。
【００７７】
次に、通常の処理のような１／２バンド幅分の記録用紙の搬送を行なわずに、ＣＰＵ２０１が、１バンド分の画像データをバンドメモリ２０７に書き込む（Ｓ５０３）。そして、マルチパスデータ処理部２０９は、バンドメモリ２０７から、１バンド分の全ての画像データを読み出し（Ｓ５０４）、ＣＰＵ２０１が、マスクパターンセレクタ２０８を介して、間引き処理のためのマスクパターンを、切り換える（Ｓ５０５）。
【００７８】
図８は、実施例１の動作を説明するマスクパターン例を示す図である。
【００７９】
マスクパターンセレクタ２０８は、通常、ＣＰＵ２０１の制御によって、図８（２）に示すマスクパターンを選択する。図８（２）に示すマスクパターンは、記録ヘッド５の全ての吐出口に対応する後述の元パターンを有効とするマスクパターンである。
【００８０】
通常、マルチパスデータ処理部２０９が、千鳥パターンによって、画像データを間引く場合、図８（１）と図８（２）とのマスクパターンを掛け合わせた図８（３）のマスクパターンを用いる。図８（１）のマスクパターンは、千鳥パターンの元パターンに相当し、図８（２）のマスクパターンと掛け合わされることによって、通常の画像データの間引きに用いられる図８（３）の千鳥パターンとなる。
【００８１】
図７は、実施例１の動作として、図３の段階Ｃの記録に用いるマスクパターン例を示す図である。
【００８２】
中断処理のＳ５０５の場合、マスクパターンセレクタ２０８は、ＣＰＵ２０１の制御によって、図７（２）に示すマスクパターンを選択する。その図７（２）のマスクパターンは、記録ヘッド５における記録媒体の搬送方向上流側の、半分の吐出口（図３に示す下側の１／２バンド幅の範囲Ｓ２内の吐出口）に対応する元パターンを有効とし、かつ記録ヘッド５における記録媒体の搬送方向下流側の、半分の吐出口（図３に示す上側の１／２バンド幅の範囲Ｓ１内の吐出口）に対応する元パターンを無効とするマスクパターンである。
【００８３】
実施例１のように、図３に示す段階Ａにおいて、記録ヘッド５が往走査記録を行っているときに中断要求があった場合、Ｓ５０６では、図７（１）に示す千鳥パターンの元パターンと、図７（２）に示すマスクパターンとを掛け合わせた図７（３）のパターンを用いて、マルチパスデータ処理部２０９が画像データを間引く。図７（２）に示すマスクパターンは、記録ヘッド５の全吐出口のうちで、図３に示す上側半分の範囲Ｓ１内の吐出口による記録動作を禁止する。
【００８４】
Ｓ５０６において間引かれた画像データは、ＣＰＵ２０１によってヘッドドライバ２１０に出力され、記録ヘッド５は、図３に示す段階Ｃにおいて、範囲Ｓ２内の吐出口からインクを吐出し、間引き画像を往走査記録する（Ｓ５０７）。段階Ｂ、Ｃでは、副走査方向における記録ヘッド５の位置が同じであり、記録ヘッド５は、段階Ｃにおいて範囲Ｓ２内の吐出口からインクを吐出することによって、先の段階Ｂの記録領域における下側半分の領域Ｐ１と相互補完の関係にある間引き画像を記録し、その領域Ｐ１に対して２／２パス目の記録を完了する。この段階Ｃにおいて、記録ヘッド５の範囲Ｓ１の吐出口による記録動作が禁止される。
【００８５】
その後、記録動作を休止し、一時停止の状態になり、図３に示す段階Ｄに移行する。
【００８６】
このような搬送動作の終了後は、ＣＰＵ２０１の制御によって、１バンド分の画像データを、バンドメモリ２０７に書き込み（Ｓ５１５）、バンドメモリ２０７から１バンド分の画像データを読み出し（Ｓ５１６）、マスクパターンセレクタ２０８が、図１０（２）に示すマスクパターンを設定する（Ｓ５１７）。図１０（２）に示すマスクパターンは、記録ヘッド５の範囲Ｓ２（図３参照）内の吐出口に対応する後述の元パターンを有効とし、かつ、記録ヘッド５の範囲Ｓ１（図３参照）内の吐出口に対応する元パターンを無効とするマスクパターンである。
【００８７】
実施例１のように、図３に示す段階Ａにおいて、記録ヘッド５が往走査記録を行っているときに中断要求があった場合、図７（１）に示す逆千鳥パターンの元パターンと図７（２）に示すマスクパターンとを掛け合わせた図７（３）のパターンを用いて、マルチパスデータ処理部２０９が、画像データを間引く（Ｓ５１８）。図７に示すマスクパターンは、記録ヘッド５の範囲Ｓ１内の吐出口による記録動作を禁止する。
【００８８】
そして、間引かれた画像データに対応するヘッド駆動信号が、ヘッドドライバ２１０に出力され、図３に示す段階Ｅのように、記録ヘッド５が、記録用紙に間引き画像を記録する（Ｓ５１９）。
【００８９】
その後、ＣＰＵ２０１は、通常の２パス記録を連続して実行するために、マスクパターンセレクタ２０８によって、図７（２）のマスクパターンを選択し（Ｓ５２０）、このマスクパターンを使用して、Ｓ５０１〜Ｓ５０７までの処理を順次、繰り返す。これによって、通常の２パス記録が継続される。記録動作の再開によって記録される記録領域Ｐ２の画像は、図３に示す段階Ｆにおいて完成される。
【００９０】
このように、一時停止前に、記録領域Ｐ１の画像を２パス記録によって完成させる。記録動作の再開後に、記録領域Ｐ２の画像を、２パス記録によって完成させる。また、記録動作再開時のはじめの紙送り量を、通常時よりも数μｍ（図３に示すΔＬ）小さくすることによって、繋ぎ目の送り誤差を目立たなくすることができる。このような記録によって、上記放置ムラを抑制することができる。
【００９１】
上記中断処理が行われる際、紙搬送が行われていないので、同一領域の画像は、特定のノズルを使用して完成している状態である。よって、たとえば不吐ノズルが発生した場合、そのノズルの部分は、白いスジ状になる印字がなされない領域が発生し、ヨレの激しいノズルの部分は、黒スジ状の領域が発生し、場合によっては、放置ムラよりも逆に画像欠陥として目立つ場合がある。
【００９２】
そこで、実施例１では、印字の一時停止時における中断処理の導入を選択可能とすることによって、より欠陥の少ない画像を提供することができる。
【００９３】
図９は、実施例１における中間フラグ要求の動作を示すフローチャートである。
【００９４】
図９のＳ６０１で、中断処理の選択の有無を判断する。中断処理の要求がある場合は、Ｓ６０２に従い、上記中断処理を行った後に、Ｓ６０３では、印字を中断する。中断処理の要求が無い場合、そのままＳ６０３で、印字を中断する。
【００９５】
中断処理の選択の有無を、たとえばドライバ上に設定する。中断処理の導入を選択可能にすることによって、より欠陥の少ない高品位の画像を提供することができる。
【００９６】
また、記録動作の一時停止は、吸引動作の他、記録ヘッドの回復処理としてのワイピング動作や、予備吐出動作を行うためであってもよく、さらに、入力データの遅延による一時停止、ユーザの都合による一時停止、その他一時停止動作であってもよく、いずれの一時停止においても、実施例１における中断処理と同様の中断処理を行なうことができる。
【００９７】
なお、実施例１では、中断要求があった後に、図３に示す段階Ｂのように、通常と同じ復走査記録（Ｓ５０１、Ｓ５０２）をしてから、段階Ｃのように、記録用紙を搬送せずに記録領域Ｐ１の画像を完成させている（Ｓ５０３〜５０７）。しかし、中断要求があった後に、段階Ｂのような通常と同じ副走査記録を行うことなく、記録用紙を搬送せずに記録領域Ｐ１’の画像を完成させるようにしてもよい。
【００９８】
図１０は、実施例１の動作を説明するマスクパターン例を示す図である。
【００９９】
上記の場合には、図６の中断処理をＳ５０５からスタートさせればよく、また記録領域Ｐ１’と相互補完の関係にある画像は、図１０（１）、（２）に示すパターンを掛け合わせた図１０（３）に示す逆千鳥パターンを用いて間引くことができる。
【０１００】
中断要求は、上記のように、図３に示す段階Ａのような往走査記録を行っているときに限定されず、図３に示す段階Ｂのような副走査記録を行っているときに、中断要求があってもよく、その場合には、中断処理における記録ヘッド５の往走査と副走査との関係や、用いるパターンの千鳥と逆千鳥との関係が、逆になる。
【実施例２】
【０１０１】
本発明の実施例２は、中断処理の有無を、メディアの種類に応じて設定する実施例である。
【０１０２】
図１１は、各メディアにおいて、染料インクでの放置ムラの発生状況を示す図である。
【０１０３】
放置ムラの発生は、特にメディア依存が大きく、メディアの種類によって発生状況が異なることがわかっている。
【０１０４】
実施例２は、たとえば、一時停止の要求があった場合、放置ムラの発生するメディアであるコート紙、光沢紙、半光沢紙では、中断処理を行ない、放置ムラの発生しないメディアである光沢フィルムでは、中断処理を行なわずに、そのまま一時停止する。中断処理の有無の選択は、たとえば用紙設定で行なう。
【０１０５】
また、たとえば顔料インクのように、インクの種類が変われば、放置ムラの発生状況も変化する。組み合わせパターンは１種類に限定しない。
【実施例３】
【０１０６】
本発明の実施例３は、特定数以上のパス数で印字が行われる場合、中断処理を行なわないように設定する実施例である。
【０１０７】
放置ムラは、印字のパス数が増えると目立たない傾向がある。
【０１０８】
図１２は、パス数の変化に伴って、染料インクでの放置ムラの発生が異なる状況を、メディアごとに示す図である。
【０１０９】
目視による評価で、放置ムラが目立つものは×、目立たないものは○、中間程度のものを△とする。パス数の増加とともに、放置ムラは目立たなくなる傾向を示す。
【０１１０】
そこで、特定数以上のパス数で印字が行われる場合、中断処理を行なわないように設定する。具体的には、比較的パス数の少ない「はやい」や「標準」モードでは、中断処理を行なうように設定し、比較的印字パス数の多い「きれい」モードでは、中断処理を行なわないように設定する。
【０１１１】
また、印字モードに限定せず、用紙設定とも組み合わせて、中断処理の有無の設定を細かく設定するようにしてもよい。
【０１１２】
上記実施例によれば、複数のインク吐出口を備える記録ヘッドを用いて画像を記録可能な種々のインクジェット記録装置に適用することができる。たとえば、同一または色彩等が異なるインクを用いてカラー画像を記録する記録装置、同一色彩で異なる濃度のインクを用いて多階調の画像を記録する記録装置、さらに、これらの機能を組み合わせた記録装置について、上記実施例を適用することによって、上記と同様の効果を達成することができる。
【０１１３】
さらに、上記実施例によれば、記録手段としての記録ヘッドとインクタンクとを一体化した交換可能なインクジェットカートリッジを用いる構成、記録手段としての記録ヘッドとインクタンクとを別体にして、それらの間をインク供給用のチューブ等で接続する構成等、記録手段とインクタンクとの配置構成がどのような場合にも、上記と同様に適用し、上記と同様の効果を得ることができる。
【図面の簡単な説明】
【０１１４】
【図１】本発明の実施例１であるインクジェット記録装置ＰＲ１を示す平面図である。
【図２】インクジェット記録装置ＰＲ１における制御系Ｃ１の構成を示すブロック図である。
【図３】実施例１において、２パス記録動作を一時停止させてから再開させる場合に、記録ヘッド５の位置と記録領域との関係を示す模式図である。
【図４】ＣＰＵ２０１の制御動作を示すフローチャートである。
【図５】実施例１の動作を説明するマスクパターン例を示す図である。
【図６】実施例１における中断処理（Ｓ４０９）の動作を示すフローチャートである。
【図７】実施例１の動作を説明するマスクパターン例を示す図である。
【図８】実施例１の動作を説明するマスクパターン例を示す図である。
【図９】実施例１における中間フラグ要求の動作を示すフローチャートである。
【図１０】実施例１の動作を説明するマスクパターン例を示す図である。
【図１１】各メディアにおいて、染料インクでの放置ムラの発生状況を示す図である。
【図１２】パス数の変化に伴って、染料インクでの放置ムラの発生が異なる状況を、メディアごとに示す図である。
【図１３】マルチパス印字として、主走査方向に２回スキャンすることによって、画像を記録する方法である。従来の２パス印字を行った場合におけるヘッド位置と記録画像とを示す模式図である。
【図１４】従来例において、印字中断時における状態と、印字再開時における状態とを示す図である。
【図１５】従来の２パス記録方式における１回目と２回目とのスキャン動作（１／２パス目と２／２パス目）との間の時間が短いときに、記録媒体１０２に対するインクの浸透と定着の様子とを模式的に示す図である。
【図１６】従来の２パス記録方式における１／２パス目と２／２パス目との間の時間が長いときに、記録媒体１０２に対するインクの浸透と定着の様子とを模式的に示す図である。
【符号の説明】
【０１１５】
ＰＲ１…インクジェット記録装置、
１…キャリッジ、
５…記録ヘッド、
１１…ガイド軸、
１２…エンコーダフィルム、
１３…ベルト、
３０Ａ、３０Ｂ、３０Ｃ、３０Ｄ…回復機構、
３１…予備吐出インク受領箱、
３２…ワイピング機構、
Ｃ１…インクジェット記録装置ＰＲ１における制御系、
２００…コントローラ、
２０４…環境温度センサ、
２０５…ホスト装置、
２０６…インタフェース（Ｉ／Ｆ）、
２０７…バンドメモリ、
２０８…マスクパターンセレクタ、
２０９…マルチパスデータ処理部、
２１０…ヘッドドライバ、
２１１…温度センサ、
２１２…主走査モータ、
２１３…モータドライバ、
２１４…副走査モータ、
２１５…モータドライバ、
Ａ、Ｂ、Ｃ、Ｄ、Ｅ、Ｆ…段階。
【図１】
2006159612.tif 000003
【図２】
2006159612.tif 000004
【図３】
2006159612.tif 000005
【図４】
2006159612.tif 000006
【図５】
2006159612.tif 000007
【図６】
2006159612.tif 000008
【図７】
2006159612.tif 000009
【図８】
2006159612.tif 000010
【図９】
2006159612.tif 000011
【図１０】
2006159612.tif 000012
【図１１】
2006159612.tif 000013
【図１２】
2006159612.tif 000014
【図１３】
2006159612.tif 000015
【図１４】
2006159612.tif 000016
【図１５】
2006159612.tif 000017
【図１６】
2006159612.tif 000018